【事件の表示】
　商願２０００−　１３３１４拒絶査定不服審判事件について、次のとおり審決する。
【結　論】
　原査定を取り消す。
　本願商標は、登録すべきものとする。
【理　由】
１　本願商標
　本願商標は、別掲（１）のとおりの構成よりなり、願書に記載のとおりの商品を指定商品として、平成１２年２月１７日に登録出願し、その後、当審における平成１８年３月３０日付けの手続補正書により、第３類「洗濯用漂白剤，洗濯用でん粉のり，洗剤，つや出し剤，洗い流し剤，研磨剤，洗浄前の手入れ剤及び染み抜き剤，ワニス除去剤，せっけん類（身体用のものを除く。），洗浄剤（身体用のものを除く。），ワックス，仕上げ済み又は仕上げ前の表面に使用するためのワックス剤，ワックス除去剤，靴クリーム，靴用つや出し剤，靴用洗浄剤，排水パイプ用洗浄剤 」、第４類「工業用油，工業用油脂，燃料，ろう，靴油，固形潤滑剤，保革油，ランプ用灯しん，ろうそく」、第５類「細菌除去剤（身体用のものを除く。），液状及びスプレー状の消毒剤（身体用のものを除く。），雑草及び有害動物の除去剤，殺虫剤，蛾の防除剤，防虫剤，真菌除去剤，齧歯動物除去剤，芳香消臭剤（身体用のもの及び工業用のものを除く。），空気用防臭剤，空気清浄剤，カーペット及び部屋用防臭剤，織物用防臭剤」、第１１類「電球類及び照明用器具，あんどん，ガスランプ，石油ランプ，ちょうちん，ほや，工業用炉，原子炉，火鉢類，ボイラー，ガス湯沸かし器，調理台，流し台，加熱器，業務用揚物器，業務用食器乾燥機，業務用炊飯器，業務用煮炊釜，業務用焼物器，業務用レンジ，冷凍機械器具，アイスボックス，氷冷蔵庫，飼料乾燥装置，牛乳殺菌機，乾燥装置，換熱器，蒸煮装置，蒸発装置，蒸留装置，熱交換器，暖冷房装置，便所ユニット，浴室ユニット，美容院用又は理髪店用の機械器具（いすを除く），太陽熱利用温水器，浄水装置，家庭用電熱用品類，浴槽類，家庭用浄水器，水道蛇口用座金，水道蛇口用ワッシャー，水道用栓，タンク用水位制御弁，パイプライン用栓，汚水浄化槽，家庭用汚水浄化槽，家庭用し尿処理槽，ごみ焼却炉，し尿処理槽，洗浄機能付き便座，洗面所用消毒剤ディスペンサー，便器，和式便器用いす，あんか，かいろ，かいろ灰，化学物質を充てんした保温保冷具，湯たんぽ」、第１６類「紙類，紙製包装用容器，家庭用食品包装フィルム，紙製ごみ収集用袋，プラスチック製ごみ収集用袋，衛生手ふき，型紙，紙製テーブルクロス，紙製テーブルナプキン，紙製タオル，紙製手ふき，紙製のぼり，紙製旗，紙製ハンカチ，紙製ブラインド，紙製幼児用おしめ，裁縫用チャコ，荷札，印刷物，書画，写真，写真立て，遊戯用カード，文房具類，事務用又は家庭用ののり及び接着剤，青写真複写機 ，あて名印刷機，印刷用インテル，印字用インクリボン，活字，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，装飾塗工用ブラシ，封ろう，マーキング用孔開型板，観賞魚用水槽及びその附属品」、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ・砂糖入れ及び塩振り出し容器（貴金属製のものを除く。），卵立て（貴金属製のものを除���。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，家事用手袋，化粧用具，デンタルフロス，おけ用ブラシ，金ブラシ，管用ブラシ，工業用はけ，船舶ブラシ，ブラシ用豚毛，洋服ブラシ，靴ブラシ，靴べら，靴磨き布，軽便靴クリーナー，シューツリー，かいばおけ，家禽用リング，アイロン台，愛玩動物用食器，愛玩動物用ブラシ，犬のおしゃぶり，植木鉢，家庭園芸用の水耕式植物栽培器，家庭用燃え殻ふるい，紙タオル取り出し用金属製箱，霧吹き，靴脱ぎ器，こて台，小鳥かご，小鳥用水盤，じょうろ，寝室用簡易便器，石炭入れ，せっけん用ディスペンサー，貯金箱（金属製のものを除く。），トイレットペーパーホルダー，ねずみ取り器，はえたたき，へら台，湯かき棒，浴室用腰掛け，浴室用手おけ，ろうそく消し及びろうそく立て（貴金属製のものを除く。），花瓶及び水盤（貴金属製のものを除く。），風鈴，ガラス製又は磁器製の立て看板，香炉，コッフェル 」及び第２４類「織物，メリヤス生地，フェルト及び不織布，オイルクロス，ゴム引防水布，ビニルクロス，ラバークロス，レザークロス，ろ過布，布製身の回り品，織物製テーブルナプキン，ふきん，かや，敷布，布団，布団カバー，布団側，まくらカバー，毛布，織物製いすカバー，織物製壁掛け，織物製ブラインド，カーテン，シャワーカーテン，テーブル掛け，どん帳，織物製トイレットシートカバー，遺体覆い，経かたびら，黒白幕，紅白幕，布製ラベル，ビリヤードクロス，のぼり及び旗（紙製のものを除く。）」と補正されたものである。
　　　
２　原査定の拒絶の理由
　原査定は、以下の（１）及び（２）のとおり認定、判断し、本願を拒絶したものである。
（１）指定商品は、商標とともに権利範囲を定めるものであるから、その内容及び範囲は明確でなければならないところ、この商標登録出願に係る指定商品は、その内容及び範囲を明確に指定したものとは認められない。したがって、この商標登録出願は、商標法第６条第１項の要件を具備しない。
（２）本願商標は、下記の登録商標と同一又は類似であって、その商標に係る指定商品と同一又は類似の商品について使用するものであるから、商標法第４条第１項第１１号に該当する。
（ア）登録第204117号商標は、「ＪＯＨＮＳＯＮ’Ｓ」の文字を書してなり、昭和３年５月５日に登録出願、第１類に属する商標登録原簿記載のとおりの商品を指定商品として、昭和４年１月８日に設定登録されたものである。
（イ）登録第399109号商標は、「ＪＯＨＮＳＯＮ’Ｓ」の文字を書してなり、昭和２５年５月６日に登録出願、第７類に属する商標登録原簿記載のとおりの商品を指定商品として、昭和２６年５月３１日に設定登録されたものである。
（ウ）登録第403382号商標は、「ＪＯＨＮＳＯＮ’Ｓ」の文字を書してなり、昭和２５年１２月２６日に登録出願、第３類に属する商標登録原簿記載のとおりの商品を指定商品として、昭和２６年９月２６日に設定登録されたものである。
（エ）登録第458764号商標は、「Ｊｏｈｎｓｏｎ」の文字を書してなり、昭和２９年３月１１日に登録出願、第２０類に属する商標登録原簿記載のとおりの商品を指定商品として、昭和３０年１月２２日に設定登録されたものである。
（オ）登録第620780号商標は、「ジヨンソン」の文字を書してなり、昭和３６年９月１３日に登録出願、第９類に属する商標登録原簿記載のとおりの商品を指定商品として、昭和３８年７月１３日に設定登録されたものである。
（カ）登録第681994号商標は、別掲（２）のとおりの構成よりなり、昭和３８年８月２０日に登録出願、第１類に属する商標登録原簿記載のとおりの商品を指定商品として、昭和４０年７月２３日に設定登録されたものである。
（キ）登録第712900号商標は、「ＪＯＨＮＳＯＮ’Ｓ」の文字を書してなり、昭和３９年１２月２４日に登録出願、第１類に属する商標登録原簿記載のとおりの商品を指定商品として、昭和４１年７月１２日に設定登録されたものである。
（ク）登録第741380号商標は、「JOHNSON」の文字を書してなり、昭和４０年３月９日に登録出願、第１類に属する商標登録原簿記載のとおりの商品を指定商品として、昭和４２年４月２８日に設定登録されたものである。 　　　　 
（ケ）登録第750599号商標は、「ＪＯＨＮＳＯＮ’Ｓ」の文字を書してなり、昭和３９年１２月２４日に登録出願、第１７類に属する商標登録原簿記載のとおりの商品を指定商品として、昭和４２年８月９日に設定登録されたものである。
（コ）登録第1287968号号商標は、「JOHNSON」の文字を書してなり、昭和４４年５月２９日に登録出願、第９類に属する商標登録原簿記載のとおりの商品を指定商品として昭和５２年７月２８日に設定登録されたものである。
（サ）登録第1296301号商標は、別掲（３）のとおりの構成よりなり、昭和４２年２月１４日に登録出願、第１類に属する商標登録原簿記載のとおりの商品を指定商品として、昭和５２年９月１日に設定登録されたものである。
（シ）登録第1405916号商標は、別掲（４）のとおりの構成よりなり、昭和４３年４月１８日に登録出願、第１類に属する商標登録原簿記載のとおりの商品を指定商品として、昭和５５年１月３１日に設定登録されたものである。
（ス）登録第1491269号商標は、「ＪＯＨＮＳＯＮ’Ｓ」の文字を書してなり、昭和４７年１月２６日に登録出願、第３類に属する商標登録原簿記載のとおりの商品を指定商品として、昭和５６年１２月２５日に設定登録されたものである。
（セ）登録第1509672号商標は、別掲（５）のとおりの構成よりなり、昭和４７年６月５日に登録出願、第１類、第５類及び第１０類に属する商標登録原簿記載のとおりの商品を指定商品として、昭和５７年４月３０日に設定登録されたものである。
（ソ）登録第1509673号商標は、「ジョンソン」の文字を書してなり、昭和４７年６月５日に登録出願、第１類、第５類及び第１０類に属する商標登録原簿記載のとおりの商品を指定商品として、昭和５７年４月３０日に設定登録されたものである。
（タ）登録第1518735号商標は、別掲（５）のとおりの構成よりなり、昭和４７年６月５日に登録出願、第３類に属する商標登録原簿記載のとおりの商品を指定商品として、昭和５７年６月２９日に設定登録されたものである。
（チ）登録第1518736号商標は、「ジョンソン」の文字を書してなり、昭和４７年６月５日に登録出願、第３類に属する商標登録原簿記載のとおりの商品を指定商品として、昭和５７年６月２９日に設定登録されたものである。
（ツ）登録第1620740号商標は、別掲（６）のとおりの構成よりなり、昭和４７年２月２４日に登録出願、第２１類に属する商標登録原簿記載のとおりの商品を指定商品として、昭和５８年９月２８日に設定登録されたものである。
（テ）登録第1674843号商標は、 別掲（７）のとおりの構成よりなり、昭和５５年６月３日に登録出願、第３類に属する商標登録原簿記載のとおりの商品を指定商品として、昭和５９年４月２０日に設定登録されたものである。
（ト）登録第1730554号商標は、「ＪＯＨＮＳＯＮ」の文字を書してなり、昭和５６年５月６日に登録出願、第７類に属する商標登録原簿記載のとおりの商品を指定商品として、昭和５９年１１月２７日に設定登録されたものである。
（ナ）登録第1847136号商標は、別掲（４）のとおりの構成よりなり、昭和５７年９月１６日に登録出願、第３類に属する商標登録原簿記載のとおりの商品を指定商品として、昭和６１年３月２６日に設定登録されたものである。
（ニ）登録第1873091号商標は、「ＪＯＨＮＳＯＮ」の文字を書してなり、昭和５８年９月１９日に登録出願、第２４類に属する商標登録原簿記載のとおりの商品を指定商品として、昭和６１年６月２７日に設定登録されたものである。
（ヌ）登録第2478101号商標は、別掲（８）のとおりの構成よりなり、昭和６２年５月２８日に登録出願、第７類に属する商標登録原簿記載のとおりの商品を指定商品として、平成４年１１月３０日に設定登録されたものである。
（ネ）登録第2620086号商標は、「ＪＯＨＮＳＯＮ’Ｓ」の文字を書してなり、平成３年１２月１６日に登録出願、第１６類に属する商標登録原簿記載のとおりの商品を指定商品として、平成６年１月３１日に設定登録されたものである。
（ノ）登録第2712450号商標は、別掲（９）のとおりの構成よりなり、平成３年８月２８日に登録出願、第１９類に属する商標登録原簿記載のとおりの商品を指定商品として、平成８年２月２９日に設定登録されたものである。
（ハ）登録第3146249号商標は、「ジョンソン」の文字を書してなり、平成５年１月１２日に登録出願、第２８類に属する商標登録原簿記載のとおりの商品を指定商品として、平成８年４月３０日に設定登録されたものである。
（ヒ）登録第3274845号商標は、別掲（１０）のとおりの構成よりなり、平成６年６月２２日に登録出願、第５類に属する商標登録原簿記載のとおりの商品を指定商品として、平成９年４月４日に設定登録されたものである。
（フ）登録第4066798号商標は、「ＪＯＨＮＳＯＮ’Ｓ」の文字を書してなり、平成８年４月５日に登録出願、第１８類に属する商標登録原簿記載のとおりの商品を指定商品として、平成９年１０月９日に設定登録されたものである。
（ヘ）登録第4184927号商標は、「ＪＯＨＮＳＯＮ’Ｓ」の文字を書してなり、平成８年６月３日に登録出願、第１６類に属する商標登録原簿記載のとおりの商品を指定商品として、平成１０年９月４日に設定登録されたものである。
（ホ）登録第4190628号商標は、「ＪＯＨＮＳＯＮ’Ｓ」の文字を書してなり、平成８年４月５日に登録出願、第２１類に属する商標登録原簿記載のとおりの商品を指定商品として、平成１０年９月２５日に設定登録されたものである。　以下、まとめて「引用商標」という。
　　　
３　当審の判断
　本願の指定商品について、前記１のとおりに補正された結果、その商品内容が明確になったため、本願商標の指定商品は、商標法第６条第１項の規定の要件を具備するものとなった。
　次に、本願商標は、別掲（１）のとおりの構成よりなるところ、商標構成中の上段に書された「ＳＣ　Ｊｏｈｎｓｏｎ」の文字部分は、「ＳＣ」の文字が「Ｊ」の文字とまとまりよく接合して該文字部分全体が一体的に表わしてなるものであって、前記文字部分よりは、その構成文字全体に照応して「エスシージョンソン」の称呼のみを生じ、本願商標よりは、「ジョンソン」の称呼は生じないというのが相当である。
　してみれば、本願商標より、「ジョンソン」の称呼をも生ずるとし、その上で、本願商標と引用商標とが称呼上類似するものとした原査定の認定、判断は、誤りであるというべきである。
　したがって、本願は商標法第６条第１項の要件を具備せず、かつ、本願商標は、商標法第４条第１項１１号に該当するとした原査定は妥当ではなく、取消しを免れない。
　よって、結論のとおり審決する。